【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
製品を分配するための装置であって、
前記製品を分配するように構成されたディスペンサーと、
前記ディスペンサーと通信し、前記製品に関する情報を検出するよう構成され、前記ディスペンサーの分配パラメータを変更するように構成されたディスペンサーセンサユニットと、
前記ディスペンサーセンサユニットと通信し、前記ディスペンサーセンサユニットから情報を受信するように構成されたデータ通信ユニットと、
前記データ通信ユニットと通信し、前記データ通信ユニットから情報を受信するように構成された洗面所監視ステーションと、
を含み、
前記ディスペンサーセンサユニットが、前記ディスペンサーの分配パラメータを変更するため通信を受けるように構成されていることを特徴とする装置。
【請求項２】
前記分配パラメータが、射出量、シート長、時間遅延、光感受性、及び音量からなるグループから選択されることを特徴とする請求項１に記載の装置。
【請求項３】
前記洗面所監視ステーションが、前記ディスペンサーに前記ディスペンサーの分配パラメータを変更させるために前記データ通信ユニットを介して前記ディスペンサーセンサユニットに送信するように構成されていることを特徴とする請求項１または２に記載の装置。
【請求項４】
前記データ通信ユニットが、前記洗面所監視ステーションに無線で情報を送信することを特徴とする請求項１から３のいずれかに記載の装置。
【請求項５】
前記ディスペンサーセンサユニットが、前記製品を識別し、該製品の識別を前記データ通信ユニットを介して前記洗面所監視ステーションに報告するように構成されていることを特徴とする請求項１から４のいずれかに記載の装置。
【請求項６】
前記データ通信ユニットが、製品低レベル状態を報告するように構成されており、前記データ通信ユニットが、認識された製品が識別された場合に前記製品低レベル状態を報告することが可能になることを特徴とする請求項５に記載の装置。
【請求項７】
前記ディスペンサーセンサユニットが、製品を識別し、該製品の識別と前記ディスペンサー内に残る製品レベルとをデータベースに報告するように構成され、前記データベースを使用して低レベル時に製品を再発注し、該再発注された製品に対して請求するように構成された製品再発注機構を更に含む請求項１から６のいずれかに記載の装置。
【請求項８】
前記ディスペンサーが、情報を表示するように構成された画像ディスプレイを有し、前記画像ディスプレイが前記データ通信ユニットを介して前記洗面所監視ステーションと通信し、これにより前記洗面所監視ステーションが前記画像ディスプレイの表示情報を変更するように構成されていることになる請求項１から７のいずれかに記載の装置。
【請求項９】
前記ディスペンサーが、音声メッセージを報知するように構成された音声モジュールを有し、前記音声モジュールが前記データ通信ユニットを介して前記洗面所監視ステーションと通信し、これにより前記洗面所監視ステーションが前記音声モジュールの音声メッセージを変更するように構成されていることを特徴とする請求項１から８のいずれかに記載の装置。
【請求項１０】
前記ディスペンサーが、紙タオルディスペンサー、液体又は泡状石鹸ディスペンサー、トイレットペーパーディスペンサー、消臭剤ディスペンサー、トイレットシートカバーディスペンサー、おむつディスペンサー、及び女性用品ディスペンサーからなるグループから選択されることを特徴とする請求項１に記載の装置。
【請求項１１】
前記データ通信ユニットを介して前記洗面所監視ステーションと通信するオーバーフローセンサを更に含み、前記オーバーフローセンサが、水の存在を検出するように構成されていることを特徴とする請求項１から１０のいずれかに記載の装置。
【請求項１２】
前記データ通信ユニットを介して前記洗面所監視ステーションと通信する水流量センサを更に含み、前記水流量センサが、水流量を検出するように構成されていることを特徴とする請求項１から１１のいずれかに記載の装置。
【請求項１３】
前記ディスペンサーセンサユニットが、前記ディスペンサー内に残っている製品量、前記ディスペンサー内から取り出された製品量、及び前記ディスペンサー内からの製品取り出し速度からなるグループから選択される、製品に関する情報を検出するように構成されることを特徴とする請求項１から１２のいずれかに記載の装置。
【請求項１４】
洗面所の個々のユーザの存在を示し且つ前記個々のユーザを識別するように構成されたセンサを更に含み、前記ディスペンサーセンサユニットが前記ディスペンサーからの製品の取り出しを検出するように構成されており、前記データ通信ユニットが前記センサと通信状態にあり、
前記装置が前記データ通信ユニットと通信する洗面所監視ステーションを更に含み、
前記データ通信ユニットが、個人による製品取り出しを監視するために前記ディスペンサーセンサユニット及び前記データ通信ユニットから情報を受信するように構成されていることを特徴とする請求項１に記載の装置。
【請求項１５】
洗面所内で情報を伝達するための装置であって、
情報を伝達するように構成されたディスプレイと、
前記ディスプレイと通信するデータ通信ユニットと、
前記データ通信ユニットと通信し、前記ディスプレイによって伝達される情報を修正するために、前記データ通信ユニットを介して前記ディスプレイと通信するように構成された洗面所監視ステーションと、
を含む装置。
【請求項１６】
前記ディスプレイが、画像ディスプレイ及び音声モジュールからなるグループから選択されることを特徴とする請求項１５に記載の装置。
【請求項１７】
洗面所内で水の存在を監視するための装置であって、
水の存在を検出するように構成されたオーバーフローセンサと、
前記オーバーフローセンサと無線通信するデータ通信ユニットと、
前記データ通信ユニットと無線通信し、該データ通信ユニットを介して前記オーバーフローセンサと通信する洗面所監視ステーションと、
を含み、
前記洗面所監視ステーションが、前記オーバーフローセンサによって水が検出されたときに水の存在を示すように構成されていることを特徴とする装置。
【請求項１８】
製品を分配するためのディスペンサーであって、
前記製品を保持するように構成されたディスペンサーハウジングと、
前記ディスペンサーハウジングに枢動可能に装着され、前記製品に係合するように構成され、前記製品の分配によって引き起こされた製品量の減少に応じて製品低レベル位置まで枢動するように構成されたレバーと、
前記レバーが製品低レベル位置まで枢動したときに、前記レバーと係合するように構成され、且つ製品低レベル信号を生成するように構成されたスイッチと、
を含むディスペンサー。
【請求項１９】
前記スイッチと通信するディスペンサーセンサユニットを更に含み、前記ディスペンサーセンサユニットが、前記スイッチから製品低レベル信号を受信するように構成されていることを特徴とする請求項１８に記載のディスペンサー。
【請求項２０】
石鹸を分配するための装置であって、
石鹸を分配するように構成された石鹸ディスペンサーと、
前記ディスペンサーと通信し、前記ディスペンサー内の石鹸の量を検出するように構成され、前記ディスペンサーの射出量を変更するように構成されたディスペンサーセンサユニットと、
前記ディスペンサーセンサユニットと無線通信し、前記ディスペンサー内に残っている石鹸の量を少なくとも含む情報を前記ディスペンサーユニットから受信するように構成されたデータ通信ユニットと、
前記データ通信ユニットと無線通信し、前記ディスペンサー内の残っている石鹸の量を少なくとも含む情報を前記データ通信ユニットから受信するように構成された洗面所監視ステーションと、
を含み、
前記洗面所監視ステーションが、前記データ通信ユニットを介して前記ディスペンサーセンサユニットと通信して前記ディスペンサーの射出量を変更するように構成されていることを特徴とする装置。
【請求項２１】
製品を分配するためのディスペンサーであって、
製品を保持するように構成されたディスペンサーハウジングと、
前記ディスペンサー内での製品の量を検出するように構成されたディスペンサーセンサユニットと、
前記ディスペンサーセンサユニットと無線通信し、前記ディスペンサー内の製品の量に関する情報を受信するように構成された洗面所監視ステーションと、
を含むディスペンサー。
【請求項２２】
前記ディスペンサーセンサユニットと無線通信し、前記ディスペンサーセンサユニット内の製品の量に関する情報を受信するように構成されたデータ通信ユニットを更に含む請求項２１に記載のディスペンサー。
【請求項２３】
製品を分配するための装置であって、
製品を保持するように構成されたディスペンサーハウジングと、
赤外光を放出するように構成されたエミッタを有するディスペンサーセンサユニットと、
前記製品が前記赤外光の光路内に存在しないことを示すために前記ディスペンサーセンサユニットから赤外光を受光するように構成された検出器と、
含む装置。
【請求項２４】
前記ディスペンサーセンサユニット及び前記検出器が、前記ディスペンサー内の製品低レベル地点に位置付けられることを特徴とする請求項２３に記載の装置。
【請求項２５】
前記ディスペンサーセンサユニットと通信し、前記ディスペンサーセンサユニットから情報を受信するように構成されたデータ通信ユニットと、
前記データ通信ユニットと通信し、前記データ通信ユニットから情報を受信するように構成された洗面所監視ステーションと、
を更に含む請求項２３に記載の装置。
【請求項２６】
製品を分配するための装置であって、
前記製品を分配するように構成されたディスペンサーと、
製品低レベル状態を検出するように構成されたディスペンサーセンサユニットと、
前記ディスペンサーセンサユニットと通信し、前記ディスペンサーセンサユニットから情報を受信するように構成されたデータ通信ユニットと、
前記データ通信ユニットと通信し、前記データ通信ユニットから情報を受信するように構成された洗面所監視ステーションと、
を含み、
前記洗面所監視ステーションが、製品低レベル状態が検出されたときに前記製品の在庫をチェックして、十分な製品が在庫に存在しない場合に前記製品を再発注することを特徴とする装置。
【請求項２７】
前記洗面所監視ステーションが、複数のディスペンサーセンサユニットから情報を受信し、製品低レベル状態が特定のディスペンサーから検出されたときに在庫をチェックして、十分な製品が在庫に存在しない場合には前記製品を再発注するように構成されており、前記洗面所監視ステーションが前記ディスペンサーから取り出された製品量について使用者から費用をとることを特徴とする請求項２６に記載の装置。
【請求項２８】
洗面所を監視するための装置であって、
洗面所の床を見るように構成されたカメラと、
前記カメラと通信するデータ通信ユニットと、
前記データ通信ユニットと通信する洗面所監視ステーションと、
を含み、
前記洗面所監視ステーションが、前記洗面所の床の上の物体の存在を示すように構成されていることを特徴とする装置。
【請求項２９】
前記カメラが、前記洗面所の床の上端から３インチ以下を見るように構成されることを特徴とする請求項２８に記載の装置。
【請求項３０】
前記物体が水であることを特徴とする請求項２８または２９に記載の装置。